(57)【特許請求の範囲】
【請求項１】
可変長さ裁断装置において、
裁断胴と、
リボンを所望のカットオフ長さを有する折丁に裁断するために前記裁断胴と協働するように構成された受渡し胴とが設けられており、該受渡し胴が、胴中心軸線と周面領域とを有しており、
前記受渡し胴の前記周面領域に配置された調節可能な直径部分が設けられており、該調節可能な直径部分が、前記受渡し胴に接続されておりかつ、折丁の所望のカットオフ長さを調節するために前記胴中心軸線に向かう方向及び該胴中心軸線から離れる方向に可動であり、前記調節可能な直径部分が、前記胴中心軸線に向かう方向及び該胴中心軸線から離れる方向に可動な調節可能なローラであることを特徴とする、可変長さ裁断装置。
【請求項２】
前記調節可能な直径部分を前記胴中心軸線に向かって及び該胴中心軸線から離れるように移動させるために、前記調節可能な直径部分に接続されたジャッキが設けられている、請求項１記載の裁断装置。
【請求項３】
それぞれ前記受渡し胴に接続されかつ前記胴中心軸線から一定の距離を置いて前記周面領域に配置されたグリッパ及び押込みブレードが設けられており、前記調節可能な直径部分が、前記グリッパと前記押込みブレードとの間に配置されている、請求項１記載の裁断装置。
【請求項４】
前記裁断胴に固定された裁断ブレードと、該裁断ブレードと協働するために前記受渡し胴の前記周面領域に配置された裁断受け台とが設けられており、前記裁断胴と前記受渡し胴とが同期的に回転するようになっている、請求項１記載の裁断装置。
【請求項５】
前記受渡し胴が、一定の角速度を有している、請求項１記載の裁断装置。
【請求項６】
それぞれ前記可変直径部分に接続されたグリッパと裁断受け台とが設けられており、前記グリッパと前記裁断受け台とが、前記可変直径部分と共に前記胴中心軸線に向かって及び胴中心軸線から離れるように可動である、請求項１記載の裁断装置。
【請求項７】
可変長さカットオフ折り機において、
裁断胴と、
リボンを所望のカットオフ長さを有する折丁に裁断するために前記裁断胴と協働するように構成された受渡し胴とが設けられており、該受渡し胴が、胴中心軸線と周面領域とを有しており、
前記受渡し胴の前記周面領域に配置された調節可能な直径部分が設けられており、該調節可能な直径部分が、前記受渡し胴に接続されておりかつ、折丁の所望のカットオフ長さを調節するために前記胴中心軸線に向かう方向及び該胴中心軸線から離れる方向に可動であり、前記調節可能な直径部分が、前記胴中心軸線に向かう方向及び該胴中心軸線から離れる方向に可動な調節可能なローラであり、
あご胴が設けられており、該あご胴が、胴ジャケットと、該胴ジャケットに設けられたあごとを有しており、
前記受渡し胴の前記周面領域に設けられておりかつ折丁を前記あご内に折り込むために前記あごと協働する押込みブレードが設けられていることを特徴とする、可変長さカットオフ折り機。
【発明の詳細な説明】
【０００１】
【発明の属する技術分野】
本発明は、概して、リボンを所望の長さに折丁の裁断するための裁断装置に関する。特に、本発明は、可変長さカットオフ折り機に関する。
【０００２】
【従来の技術】
ウェブ印刷機は、概して、印刷ユニットの下流に配置された折り機を有している。折り機は、所望の長さの折丁又はシートを形成するために紙ウェブ又はリボンを裁断して折り畳む。
【０００３】
公知の可変長さカットオフ折り機は、概して、２つの主たるカテゴリに分類される。可変長さカットオフ折り機の第１のカテゴリは、折りユニットの部分を交換することによって、例えば集め胴、裁断胴又はあご胴を交換することによって折丁のサイズ又は長さを変化させる。この概念は、実行可能であるが、高価であり、折りユニットの部分を交換するために著しく時間がかかる。
【０００４】
可変長さカットオフ折り機の第２のカテゴリは、リボンの速度に対して裁断胴の角速度を増大し、引き続き、折丁の前縁を受渡し胴上の所望の位置に提供するために折丁を加速させる。この技術の欠点は、裁断胴とリボンとの速度差から生じる。この技術の場合、裁断胴の周速はリボンの速度に等しいかこれよりも速くなければならない。可能な限り短い折丁を形成するために、裁断胴の周速度がリボンの速度よりも著しく高い場合には、裁断の質が低下する。
【０００５】
裁断後の折丁の搬送速度は、裁断胴の周速に相当する。裁断胴の周速がリボンの速度に対して速くなる場合、折丁の速度もリボンの速度に対して速くならなければならない。この状況は、折丁が新たなより高い速度に加速されることを必要とする。折丁の加速は、折丁の位置の不一致を生じるおそれがある。この折丁位置の不一致は、折丁の品質及び裁断システムの性能に関する問題、ひいては折りユニット全体の性能に関する問題を生じるおそれがある。
【０００６】
ウェブ印刷機のための調節可能な折り装置は、英国特許第１２１４３３９号明細書に説明されている。調節可能な折り装置は裁断ブレード胴を有しており、この裁断ブレード胴は、ウェブを収容するニップを提供するように受渡し胴と協働する。受渡し胴は、周面に沿って、ウェブ係合部材のグループを支持している。それぞれのグループは、ニップから走出するウェブの前縁に係合するためのグリッパと、第３の胴に設けられた折りブレードあごと協働する折りブレードと、裁断胴に設けられた関連するブレードと協働する支持体とを有している。グリッパ及び折りブレードの周面上の位置は、シートのサイズを調節するために、受渡し胴の回転軸線を中心にして、支持体の周面上の位置に対して調節可能である。
【０００７】
ドイツ連邦共和国特許第３９３４６７３号明細書は、ウェブを裁断するための可変長さ裁断システムを開示している。ウェブは、等しい直径を有する裁断胴と対向胴との間を走行する。対向胴は弾性的な裁断帯材を有しており、この裁断帯材は、ウェブ裁断するために、裁断胴に設けられたブレードと協働する。ブレードと裁断帯材とは、旋回軸を中心に旋回可能である。旋回軸は、胴の内部に配置されており、胴の軸線に対して平行である。裁断作業中、ブレードと裁断帯材とは、ブレードと裁断帯材とがウェブの移動方向に対して移動するように、旋回させられる。ドイツ連邦共和国特許第３９３４６７３号明細書に開示された可変長さ裁断システムの欠点は、それぞれの裁断作業中にブレードと裁断帯材とが同期した運動を行わなければならないためかなり複雑な機構が必要とされることである。
【０００８】
ゲリー・バレリオによる記事“Goss Exhibits Futuristic Concept Press”から、可変カットオフを得るために、取り外し可能な継目のないシェルを裁断胴上に使用することも知られている。カットオフは、１つのシェルを裁断胴から取り外し、別のより厚い又はより薄いシェルを装着することによって変化させられる。胴の直径の調節を補償するために、相対的な胴の位置も調節されなければならない。取外し式シェルを使用する欠点は、それぞれの所望のカットオフ長さのために異なるシェルが必要であることである。
【０００９】
【発明が解決しようとする課題】
したがって、本発明の課題は、この一般的なタイプの公知の装置の前記欠点を克服し、装置の動作速度を調節する必要なしに及び装置の構成部材を交換する必要なしに種々異なる長さの折丁を裁断することができるような、リボンを所望の長さの折丁に裁断するための裁断装置を提供することである。
【００１０】
特に、本発明の課題は、受渡し胴の速度を調節する必要なしにかつ折り機のいかなる構成部材をも交換する必要なしに折り機の受渡し胴が折丁の前縁の制御を有するように、折丁長さを変更することができる可変長さカットオフ折り機を提供することである。
【００１１】
【課題を解決するための手段】
前記課題及びその他の課題を考慮して、本発明によれば、裁断胴と、リボンを所望のカットオフ長さを有する折丁に裁断するために裁断胴と協働するように構成された受渡し胴とが設けられており、この受渡し胴が、胴中心軸線と周面領域とを有しており、さらに、受渡し胴の周面領域に配置された調節可能な直径部分が設けられており、この調節可能な直径部分が、受渡し胴に接続されておりかつ、折丁の所望のカットオフ長さを調節するために胴中心軸線に向かう方向及び胴中心軸線から離れる方向に可動であるような可変長さ裁断装置が提供される。
【００１２】
本発明による裁断装置は、裁断装置の構成部材を交換する必要なしに様々な折丁長さに容易に調節することができる。
【００１３】
本発明の別の特徴によれば、調節可能な直径部分は、胴の中心軸線に向かう方向及び胴中心軸線から離れる方向に可動な調節可能なローラである。
【００１４】
本発明のさらに別の特徴によれば、調節可能な直径部分を胴中心軸線に向かって及び胴中心軸線から離れるように移動させるために、線形ジャッキ又は偏心ジャッキが調節可能な直径部分に接続されている。
【００１５】
本発明の別の特徴によれば、グリッパ及び押込みブレードが、受渡し胴に、受渡し胴の周面領域において、胴中心軸線から定置の距離において接続されており、この場合、調節可能な直径部分がグリッパと押込みブレードとの間に配置されている。このことは、調節可能な直径部分が受渡し胴の中心に向かって又は受渡し胴の中心から離れるように移動させられたときでさえも裁断胴が受渡し胴に対して一定の位置にとどまることができるという利点を有する。
【００１６】
本発明のさらに別の特徴によれば、裁断ブレードは裁断胴に固定されており、裁断受け台は、裁断ブレードと協働するために受渡し胴の周面領域に配置されており、この場合、裁断胴と受渡し胴とは同期的に回転する。
【００１７】
本発明の付加的な特徴によれば、受渡し胴は一定の角速度を有しており、このことは、受渡し胴のための複雑な速度制御が必要ないという利点を有する。
【００１８】
本発明の別の特徴によれば、グリッパ及び裁断受け台はそれぞれ可変直径部分に接続されており、グリッパ及び裁断受け台は、可変直径部分と共に胴中心軸線に向かって及び胴中心軸線から離れるように可動である。
【００１９】
発明の課題を考慮して、裁断胴と、リボンを所望のカットオフ長さを有する折丁に裁断するために裁断胴と協働するように構成された受渡し胴とが設けられており、この受渡し胴が胴中心軸線と周面領域とを有しており、さらに、受渡し胴の周面領域に配置された調節可能な直径部分が設けられており、この調節可能な直径部分が、受渡し胴に接続されておりかつ、折丁の所望のカットオフ長さを調節するために胴中心軸線に向かって及び胴中心軸線から離れる方向に可動であり、さらに、あご胴が設けられており、このあご胴が、胴ジャケットとこの胴ジャケットに設けられた顎とを有しており、さらに、受渡し胴の周面領域に設けられておりかつ折丁をあご内に折り込むためにあごと協働する押込みブレードが設けられている可変長さカットオフ折り機も提供される。
【００２０】
リボンという用語は、紙ウェブ又は紙リボン等のウェブ材料のあらゆるタイプとして定義される。折丁という用語は、紙のシート等の、ウェブ材料から裁断されたあらゆる材料片として定義される。
【００２１】
本発明にとって特有であると考えられる別の特徴は、添付の請求項に示されている。
【００２２】
本発明が可変長さカットオフ折り機として実現されたものとしてここには図示及び説明されているが、本発明は記載された詳細に限定されるものではない。なぜならば、発明の思想から逸脱することなしに及び請求項の均等物の範囲において様々な修正及び構造的変更が行われてよいからである。
【００２３】
しかしながら、発明の構造及び動作方法並びに発明の付加的な課題及び利点は、添付の図面を参照しながら特定の実施例の以下の説明を読むことにより最もよく理解されるであろう。
【００２４】
【発明の実施の形態】
まず図面中特に図１を参照すると、可変長さカットオフ折り機の第１実施例の概略的な側面図が示されている。折り機は、裁断胴３と、受渡し胴４と、あご胴５とを有している。
【００２５】
裁断胴３は、リボン１を所望の長さの折丁に裁断するための裁断ブレードを有している。受渡し胴４は、リボン１を折丁に裁断するための裁断胴３の裁断ブレード１３と協働する裁断受け台１１を有している。グリッパ７が、折丁を保持するために受渡し胴４の周面に沿って設けられている。受渡し胴４は、周面に沿って設けられた調節可能な直径部分をも有している。それぞれの調節可能な直径部分は、受渡し胴４の一部のサイズを調節することができる。したがって、受渡し胴４と裁断胴３との有効直径は、可変長さの折丁を製造するために調節可能である。調節可能な直径部分は、例えば調節可能なローラ９として具体化することができる。調節可能なローラ９における矢印によって示したように、それぞれの調節可能なローラ９は、偏心ジャッキ又は線形ジャッキ等のジャッキによって、又はあらゆる別の適切な調節装置によって調節することができる。図１は、受渡し胴４の調節可能な部分のサイズを減少又は増大させるためにどのように受渡し胴の調節可能な部分のサイズを、調節可能なローラ９を引っ込めたり延長させたりすることによって、すなわち、調節可能なローラ９を受渡し胴４の中心軸線１２に向かって又は中心軸線１２から離れるように移動させることによって調節することができるかを示している。
【００２６】
受渡し胴４は、周面に沿って設けられた押込みブレード６を有しており、あご胴５は、周面に沿って設けられたあご８を有している。受渡し胴４に設けられた押込みブレード６は、折丁をあご８内に押し込むことによって、あご胴５に設けられたあご８と協働する。
【００２７】
いわゆるダンサローラ２が、リボン１が折り機の折丁形成部分に進入する領域に配置されている。ダンサローラ２は、受渡し胴４の有効直径を調節することによって生ぜしめられる変化等のリボン長さの変化を補償する。
【００２８】
図１は、折丁長さが減じられるように調節された、図１の可変長さカットオフ折り機の概略的な側面図である。調節可能なローラ９は、受渡し胴４の一部の有効直径を減じるために、ひいては折丁長さを減じるために、内方へ、すなわち受渡し胴４の中心軸線１２に向かって移動させられている。一点鎖線は、増大した長さを有する折丁のための調節可能なローラ９の位置を示している。図２は、受渡し胴４の典型的な寸法を示している。受渡し胴４の直径は１０００ｍｍとして示されており、調節可能なローラ９は１０１．７６４ｍｍである。調節可能なローラ９が、減じられた長さの折丁を裁断するための位置へ移動させられる場合、裁断受け台１１から押込みブレード６にまで延びた線の呼び長さは、３１８．７９７ｍｍである。この場合、裁断受け台から押込みブレード６にまで延びた線は、ほぼ直線である。調節可能なローラ９が、増大した長さを有する折丁のための位置へ移動させられている場合、裁断受け台１１と押込みブレード６との間の線の呼び長さは、３３４．８５５ｍｍである。３３４．８５５ｍｍの全長は、３つの長さ１５５．２８５ｍｍと、３４．１９２ｍｍと、１４５．３７８ｍｍとの合計である。したがって、押込みブレード６と裁断受け台１１との間の長さの変化は、１６．０５８ｍｍである。
【００２９】
可変長さカットオフ折り機の作動を図１及び図２を参照して説明する。リボン１はダンサローラ２の周囲にガイドされ、裁断胴３と受渡し胴４とにおいて折丁形成部へ進入する。ダンサローラ２は、受渡し胴４において提供されるリボン長さの変化を許容する。変化は、より長いカットオフのために延長された場合に、受渡し胴４に設けられた調節可能なローラ９によって提供される。裁断胴３と受渡し胴４とは互いに反対方向へ回転し、胴の回転中に、裁断胴のブレード１３が受渡し胴４の裁断受け台１１に出会うようになっている。リボン１は、グリッパ７の使用によって受渡し胴４上に保持される。受渡し胴４が反時計回りに回転しながら、リボンが受渡し胴４の円周に沿ってガイドされる。調節可能なローラは、押込みブレード６と裁断受け台１１又はグリッパ７との間の領域における受渡し胴４の有効直径が所望の折丁長さに相当するように位置決めされている。受渡し胴４に設けられたグリッパ又はピン７が折丁を保持する。次いで、受渡し胴４は、折丁をあご胴５へ搬送するように回転し、押込みブレード６が折丁をあご８内へ折り込む。折丁長さの変化は、グリッパ７と、関連する押込みブレード６との間の呼び長さ又は有効距離により生ぜしめられる。図２を参照して説明された寸法は、典型的に、達成することができる折丁長さ又は本長さにおける可能な差を示している。
【００３０】
図３は、減じられた折丁長さのために調節された可変長さカットオフ折り機の第２実施例の概略的な側面図である。別の実施例の同じ部材は、同じ参照符号で示している。図３は、受渡し胴４に向かって又は受渡し胴４から離れるように移動させられることができる裁断胴３を示している。受渡し胴４は、受渡し胴４の周面領域に沿って設けられた裁断受け台１１及びグリッパ７を有している。グリッパ７は、グリッパシャフト１４に取付けられている。グリッパ７は、裁断受け台１１と共に、受渡し胴４の一部の有効直径を調節するために、受渡し胴４の中心軸線１２に向かって又は中心軸線１２から離れるように移動させられることができる。図３は、減じられた長さを有する折丁のための引っ込められた位置における裁断受け台１１及びグリッパ７の位置を示している。裁断胴３は受渡し胴４に向かって移動させられ、裁断作業中に、裁断胴３のブレード１３が裁断受け台１１に接触するようになっている。増大された折丁長さが望まれる場合、裁断受け台１１はグリッパ７と共に受渡し胴４の中心軸線から離れるように外方へ移動させられ、これにより、受渡し胴４の一部の有効直径を増大させる。図４は、増大された折丁長さのためのグリッパ７及び裁断受け台１１の拡開した位置を示している。裁断胴３は、裁断受け台１１と協働するために受渡し胴４から離れるように移動させられる。
【００３１】
図５は、図３に示した可変長さカットオフ折り機の横断面図である。図５は、減じられた長さを有する折丁のための引っ込められた位置における裁断受け台１１及びグリッパ７の位置を示している。すなわち、裁断受け台１１及びグリッパ７は、受渡し胴４の中心軸線１２に向かう方向へ移動させられている。裁断作業中、裁断胴３のブレード１３が裁断受け台１１に接触するように、裁断胴３は受渡し胴４に向かって移動させられる。図５は、受渡し胴４の典型的な寸法を示している。受渡し胴４の直径は１０００ｍｍである。裁断受け台１１から後続の押込みブレード６までのリボンの長さは、２９９．４７ｍｍであり、これは、図５に示したように２５８．１１ｍｍの長さを有する直線と４１．３６ｍｍの長さを有する曲線との合計である。
【００３２】
図６は、図４に示した可変長さカットオフ折り機の横断面図である。裁断受け台１１及びグリッパ７は、増大した長さを有する折丁のための拡開した位置を占めている。裁断作業中、裁断胴３のブレード１３が裁断受け台１１に接触するように、裁断胴３は受渡し胴４から離れるように移動させられる。受渡し胴４の直径は１０００ｍｍである。裁断受け台１１から後続の押込みブレード６までのリボン１の長さは、３１０．０２ｍｍであり、これは、図６に示したように、２８３．１９ｍｍの長さを有する直線と、２６．８３ｍｍの長さを有する曲線との合計である。
【図面の簡単な説明】
【図１】増大した折丁長さのために調節された、本発明による可変長さカットオフ折り機の第１実施例を示す概略的な側面図である。
【図２】減じられた折丁長さのために調節された、図１の可変長さカットオフ折り機を示す概略的な側面図である。
【図３】減じられた折丁長さのために調節された、本発明による可変長さカットオフ折り機の第２実施例を示す概略的な側面図である。
【図４】増大した折丁長さのために調節された、図３の可変長さカットオフ折り機を示す概略的な側面図である。
【図５】図３に示された可変長さカットオフ折り機を示す横断面図である。
【図６】図４に示された可変長さカットオフ折り機を示す横断面図である。
【符号の説明】
１  リボン、  ２  ダンサローラ、  ３  裁断胴、  ４  受渡し胴、  ５  あご胴、  ６  押込みブレード、  ７  グリッパ、  ８  あご、  ９  ローラ、  １１  裁断受け台、  １２  中心軸線、  １３  ブレード、  １４  グリッパシャフト、
【図１】
0004800490.tif 000002
【図２】
0004800490.tif 000003
【図３】
0004800490.tif 000004
【図４】
0004800490.tif 000005
【図５】
0004800490.tif 000006
【図６】
0004800490.tif 000007